(57)【要約】【課題】  試料の排水面から測定位置までの間におけるトレーサー溶液の分散現象を考慮することなく測定することができ、さらに、トレーサー溶液のフラッシング機構を設けることなく、低流量でトレーサー溶液を試料に供給することにより、正確な測定結果を得ることができるトレーサー試験装置を提供することを課題とする。【解決手段】  トレーサー試験装置１であって、岩石試料５０の注水面５１にトレーサー溶液を供給可能な供給槽１０と、岩石試料５０の排水面５２に接して配置される測定槽２０とを備え、岩石試料５０の注水面５１に供給されたトレーサー溶液が、排水面５２から測定槽２０に流入するように構成されていることを特徴としている。【選択図】      図１
2006064394.tif 000002
【特許請求の範囲】
【請求項１】
トレーサー物質を含むトレーサー溶液を貯留可能であるとともに、試料の注水面に前記トレーサー溶液を供給可能な供給手段と、
前記試料の排水面に接して配置される測定槽と、を備え、
前記供給手段から前記試料の前記注水面に供給された前記トレーサー溶液が、前記試料を通過して前記排水面から前記測定槽に流入するように構成されていることを特徴とするトレーサー試験装置。
【請求項２】
前記測定槽には、前記トレーサー溶液のトレーサー濃度を測定可能な濃度測定手段が設けられており、
前記測定槽に流入した前記トレーサー溶液の前記トレーサー濃度を、前記濃度測定手段によって測定するように構成されていることを特徴とする請求項１に記載のトレーサー試験装置。
【請求項３】
前記供給手段は、前記試料の前記注水面に接して配置される供給槽と、前記供給槽に貯留されたトレーサー液を前記試料の前記注水面に供給するための送液ポンプと、から構成されていることを特徴とする請求項１または請求項２に記載のトレーサー試験装置。
【請求項４】
前記送液ポンプは、設定された流量を継続して送液可能なシリンジポンプであることを特徴とする請求項３に記載のトレーサー試験装置。
【発明の詳細な説明】
【技術分野】
【０００１】
本発明は、試料の物質移行特性を把握するためのトレーサー試験装置に関する。
【背景技術】
【０００２】
単一亀裂を有する岩石中の物質移行特性（例えば、物質移行開口幅、亀裂内の分散長）を把握するための試験方法としては、トレーサー物質を含むトレーサー溶液を岩石試料の注水面から浸透させ、岩石試料の排水面から流出したトレーサー溶液におけるトレーサー濃度の経時変化（破過曲線）を測定し、この測定結果を理論曲線と比較することで岩石試料の物質移行特性を把握するトレーサー試験がある（例えば、非特許文献１参照）。
【０００３】
前記トレーサー試験に用いられるトレーサー試験装置としては、図２に示すように、  トレーサー物質を含むトレーサー溶液を貯留可能であるとともに、単一亀裂５３を有する岩石試料５０の注水面５１にトレーサー溶液を供給可能な供給タンク６０と、岩石試料５０の排水面５２から流出したトレーサー溶液を回収して貯留可能な測定槽７０とを備えているトレーサー試験装置１’がある。このトレーサー試験装置１’では、トレーサー濃度を測定可能な濃度測定手段（図示せず）が測定槽７０に設けられており、測定槽７０と岩石試料５０の排水面５２とが排水配管７１を介して接続されている。
【０００４】
前記トレーサー試験装置１’を用いたトレーサー試験では、まず、供給タンク６０からトレーサー溶液を岩石試料５０の注水面５１に供給して浸透させる。そして、岩石試料５０を通過して排水面５２から流出したトレーサー溶液を、排水配管７１を通じて測定槽７０に貯留し、測定槽７０に設けられた濃度測定手段によってトレーサー濃度の経時変化を測定する。
【非特許文献１】イワルス・ネレトニクス（Ivars Neretniks）、トレジブ・エリクセン（Tryggve Eriksen）、ペイビ・タティネン（Paivi Tahtinen）著，「花崗岩の単一亀裂中のトレーサの移行：ある試験結果とその解釈（Tracer Movementa in Single Fissure in Granitic Rock : Some Experimental Results and Their Interpretation）」，Water Resources Research（水資源調査），（米国），American Geophysical Union（米国地球物理学協会），１９８２年８月，第１８巻，第４号，ｐ．８４９−８５８
【発明の開示】
【発明が解決しようとする課題】
【０００５】
しかしながら、前記トレーサー試験装置１’では、岩石試料５０から流出したトレーサー溶液が排水配管７１内を移動して測定槽７０に貯留されるため、排水配管７１内でトレーサー溶液の分散現象が発生している可能性があり、測定結果の信頼性を著しく損なってしまうという問題がある。
【０００６】
また、空隙率が比較的高い試料を対象としたトレーサー試験においては、亀裂から基質部への拡散現象（マトリクス拡散現象）による遅延効果を考慮して、トレーサー溶液を低流量で供給している。このような場合において、前記トレーサー試験装置１’では、排水配管７１内におけるトレーサー溶液の滞留時間を短縮するために、岩石試料５０の排水面５２側にトレーサー溶液のフラッシング機構（図示せず）を設けているが、フラッシングによるトレーサー溶液の希釈によって、測定誤差が大きくなってしまうという問題がある。
【０００７】
そこで、本発明では、前記した問題を解決し、試料の排水面から測定位置までの間におけるトレーサー溶液の分散現象を考慮することなく測定することができ、さらに、トレーサー溶液のフラッシング機構を設けることなく、低流量でトレーサー溶液を試料に供給することにより、正確な測定結果を得ることができるトレーサー試験装置を提供することを課題とする。
【課題を解決するための手段】
【０００８】
前記課題を解決するため、請求項１に記載の発明は、トレーサー試験装置であって、トレーサー物質を含むトレーサー溶液を貯留可能であるとともに、試料の注水面にトレーサー溶液を供給可能な供給手段と、試料の排水面に接して配置される測定槽とを備え、供給手段から試料の注水面に供給されたトレーサー溶液が、試料を通過して排水面から測定槽に流入するように構成されていることを特徴としている。
【０００９】
ここで、試料の構成は限定されるものではなく、各種組成の試料を試験対象とすることができ、例えば、単一亀裂を有する岩石を用いることができる。
【００１０】
このように、本発明のトレーサー試験装置では、試料を通過したトレーサー溶液を貯留する測定槽が試料に接して配置されており、試料から流出したトレーサー溶液は測定槽内に直接流入することになる。これにより、測定槽内のトレーサー溶液のトレーサー濃度を測定する場合に、試料から測定位置までの間におけるトレーサー溶液の分散現象を考慮する必要がなくなるため、測定結果の信頼性を高めることができる。
【００１１】
また、試料から流出したトレーサー溶液が測定槽に直接流入するため、低流量でトレーサー溶液を試料に供給した場合であっても、試料から測定位置までの間におけるトレーサー溶液の滞留時間を考慮する必要がなくなる。これにより、試料の排水面側にトレーサー溶液のフラッシング機構を設けることなく、低流量でトレーサー溶液を試料に供給し、試料内での拡散現象（マトリクス拡散現象）による遅延効果の影響を考慮した正確な測定結果を得ることができる。
【００１２】
なお、トレーサー濃度の測定方法としては、例えば、測定槽からトレーサー溶液を抽出し、この抽出したトレーサー溶液に対して濃度分析を行うことにより、トレーサー濃度を測定する方法があるが、その測定方法は限定されるものではない。
【００１３】
また、請求項２に記載の発明は、請求項１に記載のトレーサー試験装置であって、測定槽には、トレーサー溶液のトレーサー濃度を測定可能な濃度測定手段が設けられており、測定槽に流入したトレーサー溶液のトレーサー濃度を、濃度測定手段によって測定するように構成されていることを特徴としている。
【００１４】
ここで、測定槽に設けた濃度測定手段によるトレーサー濃度の測定方法とは、例えば、トレーサー物質を含むトレーサー溶液をヨウ化カリウム水溶液によって構成し、試料を通過させたヨウ化カリウム水溶液におけるヨウ化物イオン濃度の経時変化を、濃度測定手段であるイオンメータによって測定することにより、試料の物質移行特性を把握することができる。
【００１５】
このように、本発明のトレーサー試験装置では、トレーサー溶液のトレーサー濃度を測定する濃度測定手段を測定槽に設けることにより、試料から流出したトレーサー溶液を即座に測定することができるため、トレーサー溶液の分散現象を考慮することなく、正確な測定結果を得ることができる。
【００１６】
また、請求項３に記載の発明は、請求項１または請求項２に記載のトレーサー試験装置であって、供給手段は、試料の注水面に接して配置される供給槽と、供給槽に貯留されたトレーサー液を試料の注水面に供給するための送液ポンプとから構成されていることを特徴としている。
【００１７】
このように、本発明のトレーサー試験装置では、試料の注水面に接して供給槽を配置することにより、試料の注水面全体に対して均一な圧力で一様にトレーサー溶液を供給することができる。
【００１８】
また、請求項４に記載の発明は、請求項３に記載のトレーサー試験装置であって、送液ポンプは、設定された流量を連続して送液可能なシリンジポンプであることを特徴としている。
【００１９】
このように、本発明のトレーサー試験装置では、試料から流出したトレーサー溶液が測定槽に直接流入し、試料から測定位置までの間におけるトレーサー溶液の滞留時間を考慮する必要がないことから、設定された流量を連続して送液可能なシリンジポンプを用いて、低流量でトレーサー溶液を試料に供給した場合であっても、試料の排水面側にトレーサー溶液のフラッシング機構を設けることなく、試料内での拡散現象（マトリクス拡散現象）による遅延効果の影響を考慮した正確な測定結果を得ることができる。
【発明の効果】
【００２０】
このようなトレーサー試験装置によれば、試料の排水面から測定位置までの間におけるトレーサー溶液の分散現象を考慮することなく測定することができるとともに、フラッシング機構を設けることなく、低流量でトレーサー溶液を試料に供給して正確な測定結果を得ることができるため、試料の物質移行特性を的確に把握することができる。
【発明を実施するための最良の形態】
【００２１】
次に、本発明の実施形態について、適宜図面を参照しながら詳細に説明する。
図１は、本実施形態のトレーサー試験装置の全体構成を示した概略図である。
本実施形態では、単一亀裂を有する岩石中の物質移行特性を把握するトレーサー試験に用いる場合を例として説明する。
【００２２】
［トレーサー試験］
まず、トレーサー試験について説明する。
トレーサー試験とは、トレーサー物質を含むトレーサー溶液を試料の注水面から浸透させ、試料を通過して排水面から流出したトレーサー溶液におけるトレーサー濃度の経時変化（破過曲線）を測定し、この測定結果を理論曲線と比較することで、試料の物質移行特性（例えば、物質移行開口幅、亀裂内の分散長）を把握する試験方法である。
なお、本実施形態のトレーサー溶液は、非吸着性のヨウ化カリウム水溶液であり、試料を通過させた後に、ヨウ化物イオン濃度の経時変化を測定することにより、試料の物質移行特性を把握することができる。
【００２３】
［岩石試料］
次に、本実施形態のトレーサー試験装置を用いたトレーサー試験において、試験対象となる岩石試料について説明する。
岩石試料５０は、図１に示すように、調査対象となる土壌から採取されたコア試料である。この岩石試料５０は、円柱状の部材であり、一方の端部（図１における左側）に注水面５１が形成され、他方の端部（図１における右側）に排水面５２が形成されている。さらに、岩石試料５０の略中心部には、注水面５１から排水面５２に連通するようにして、単一亀裂５３が形成されている。なお、本実施形態では、直径が３ｃｍ、軸方向の長さが５ｃｍ、亀裂の直径が約３ｃｍの岩石試料５０を用いているが、これに限定されるものではなく、各種形状および組成の試料を用いることができる。
【００２４】
また、岩石試料５０は、エポキシ系樹脂による円筒状の被覆部材５４によって、その外周面が被覆されている。この被覆部材５４を設けることにより、岩石試料５０の注水面５１から浸透したトレーサー溶液が外周面から流出することなく、排水面５２から流出するようになっている。なお、本実施形態では、厚さが１ｃｍの被覆部材５４によって、岩石試料５０の外周面を被覆している。
【００２５】
［トレーサー試験装置］
次に、本実施形態のトレーサー試験装置について説明する。
トレーサー試験装置１は、図１に示すように、岩石試料５０の注水面５１に接して配置される供給槽１０と、岩石試料５０の排水面５２に接して配置される測定槽２０とを備えており、供給槽１０と測定槽２０との間に形成された試料設置領域３０に岩石試料５０を設置し、供給槽１０に貯留されたトレーサー溶液が岩石試料５０を通過して測定槽２０に貯留されるように構成されている。
【００２６】
供給槽１０は、トレーサー溶液の貯留タンク１１から送液ポンプ１２によって供給されたトレーサー溶液を密閉状態で貯留可能であり、試料設置領域３０側に配置された取付側壁１４には、岩石試料５０の注水面５１と同一形状に形成された供給開口部１３が形成されている。これにより、試料設置領域３０に岩石試料５０を設置した場合には、供給槽１０の内部から供給開口部１３を通じて岩石試料５０の注水面５１を臨むようになっており、供給槽１０内のトレーサー溶液が岩石試料５０の注水面５１に直接供給されるように構成されている。このようにして、トレーサー溶液は、岩石試料５０の注水面５１全体に対して均一な圧力で一様に供給される。
【００２７】
また、供給槽１０の取付側壁１４には、岩石試料５０の注水面５１側の端部が嵌合可能な凹部１５が、供給開口部１３の外周に沿って環状に形成されており、試料設置領域３０に岩石試料５０を設置した場合に、岩石試料５０の被覆部材５４の端部が凹部１５に係合することにより、供給槽１０と岩石試料５０のズレが防止されている。
さらに、取付側壁１４の外縁部には、フランジ部１６が突出して形成されており、このフランジ部１６には、均等間隔で複数の取付孔１７・・・が貫通している。
【００２８】
なお、貯留タンク１１から供給槽１０内にトレーサー溶液を送液するための送液ポンプ１２は、低流量でトレーサー溶液を連続して送液するように構成されており、本実施形態では、最小流量が０．５μｌ／ｍｉｎ程度のシリンジポンプを用いている。また、この送液ポンプ１２と供給槽１０を接続する配管には、給水バルブ１８が設けられている。
【００２９】
測定槽２０は、岩石試料５０から流出したトレーサー溶液を密閉状態で貯留可能であり、測定用貯水槽２０ａと排水用貯水槽２０ｂとに区分されており、測定用貯水槽２０ａが試料設置領域３０に接して配置され、区画壁２１を介して排水用貯水槽２０ｂが形成されている。そして、測定用貯水槽２０ａと排水用貯水槽２０ｂとは区画壁２１の上方で連通しており、測定用貯水槽２０ａ内に貯留されたトレーサー溶液がオーバーフローして排水用貯水槽２０ｂに流入するように構成されている。
【００３０】
測定用貯水槽２０ａの試料設置領域３０側に配置された取付側壁２２には、岩石試料５０の排水面５２と同一形状に形成された排出開口部２３が形成されている。これにより、試料設置領域３０に岩石試料５０を設置した場合には、測定槽２０の内部から排出開口部２３を通じて岩石試料５０の排水面５２を臨むようになっており、岩石試料５０から流出したトレーサー溶液が測定槽２０内に直接流入するように構成されている。
【００３１】
また、測定用貯水槽２０ａの取付側壁２２には、供給槽１０の取付側壁１４と同様にして、岩石試料５０の排水面５２側の端部が嵌合可能な凹部２４が、排出開口部２３の外周に沿って環状に形成されており、試料設置領域３０に岩石試料５０を設置した場合に、岩石試料５０の被覆部材５４の端部が凹部２４に係合することにより、測定槽２０と岩石試料５０のズレが防止されている。
さらに、取付側壁２２の外縁部には、フランジ部２５が突出して形成されており、このフランジ部２５には、供給槽１０のフランジ部１６に形成された各取付孔１７・・・に対峙するようにして、均等間隔で複数の取付孔２６・・・が貫通している。
【００３２】
また、測定槽２０の上板２７において、測定用貯水槽２０ａの上方に対応する位置には、貫通孔２７ｃが設けられている。この貫通孔２７ｃには、トレーサー溶液におけるトレーサー濃度（本実施形態ではヨウ化物イオン濃度）の経時変化を連続的に測定可能なイオンメータ４０（請求項における「濃度測定手段」）が外部から挿入されており、このイオンメータ４０によって、測定用貯水槽２０ａ内のトレーサー溶液のトレーサー濃度を測定可能となっている。なお、イオンメータ４０の測定結果は、図示しない出力手段によって表示および記録されるように構成されている。
【００３３】
さらに、測定槽２０の上板２７において、測定用貯水槽２０ａの上方に対応する位置には、測定用貯水槽２０ａに貯留したトレーサー溶液をサンプリング用として抽出するためのサンプリング用開口部２７ａが設けられており、このサンプリング用開口部２７ａに被せられた蓋２７ｂを外して、注射器やスポイト等を挿入することにより、測定用貯水槽２０ａ内のトレーサー溶液を抽出することができるように構成されている。そして、本実施形態のトレーサー試験装置１では、サンプリング用開口部２７ａから抽出したトレーサー溶液（以下、「サンプリング溶液」という場合がある）のトレーサー濃度をＩＣＰ発光分光分析によって測定し、その測定結果を図示しない出力手段によって表示および記録するように構成されている。
なお、測定用貯水槽２０ａには、貯留したトレーサー溶液を常時撹拌するための撹拌手段であるマグネチックスターラー（図示せず）が設けられている。
【００３４】
また、排水用貯水槽２０ｂ内は、測定槽２０の外部に設けられた排水槽２８内と排水配管２９によって連通しており、この排水配管２９は、排水用貯水槽２０ｂおよび排水槽２８の各底板に接続されているため、排水用貯水槽２０ｂおよび排水槽２８に貯留されたトレーサー溶液の液面は、サイホンの原理によって同一高さとなる。そして、排水槽２８内の最大貯水量に達したトレーサー溶液は排水槽２８からトレーサー試験装置１の外部に排水されるように構成されている。なお、排水配管２９には、排水バルブ２９ａが設けられている。
【００３５】
そして、岩石試料５０は、供給槽１０の取付側壁１４と、測定槽２０の取付側壁２２との間に設置され、その両端部を各取付側壁１４，２２の凹部１５，２４に嵌合させた状態で、各取付側壁１４，２２のフランジ部１６，２５に形成された取付孔１７，２６に挿通させたボルト３１にナット３２が螺着されることにより、各取付側壁１４，２２の間で挟まれた状態でトレーサー試験装置１に固定されている。
【００３６】
次に、本実施形態のトレーサー試験装置１を用いたトレーサー試験について説明する。
まず、岩石試料５０を供給槽１０と測定槽２０との間の試料設置領域３０に設置し、供給槽１０および測定槽２０の各取付側壁１４，２２で挟み込むようにして固定する。
さらに、供給槽１０内に脱イオン脱気水を貯留し、供給開口部１３を通じて岩石試料５０の注水面５１に脱イオン脱気水を供給する。このとき、給水バルブ１８および排水バルブ２９ａは開放されている。
これにより、脱イオン脱気水は注水面５１から岩石試料５０に浸透し、岩石試料５０を通過して、排水面５２から排出開口部２３を通じて測定槽２０内に流入する。このようにして、供給槽１０、岩石試料５０、および測定槽２０の内部を脱イオン脱気水によって満たした後に、給水バルブ１８および排水バルブ２９ａを閉じた状態にする。
【００３７】
続いて、排水バルブ２９ａを閉じた状態で、供給槽１０内の脱イオン脱気水を排水し、排水後の供給槽１０内にトレーサー溶液を貯留する。
さらに、送液ポンプ１２を駆動させて、貯留タンク１１内のトレーサー溶液を低流量で供給槽１０に供給するとともに、給水バルブ１８および排水バルブ２９ａを開放する。
【００３８】
これにより、トレーサー溶液は注水面５１から岩石試料５０に浸透し、岩石試料５０を通過して、排水面５２から排出開口部２３を通じて測定槽２０内に流入する。このようにして、岩石試料５０を通過したトレーサー溶液を測定槽２０の測定用貯水槽２０ａ内に貯留する。
【００３９】
そして、測定用貯水槽２０ａ内でトレーサー濃度の経時変化をイオンメータ４０によって測定し、その測定結果を図示しない出力手段によって表示および記録する。
このとき、本実施形態のトレーサー試験装置１では、測定槽２０が岩石試料５０に接して配置されており、岩石試料５０から排出されたトレーサー溶液は、トレーサー溶液のトレーサー濃度を測定するイオンメータ４０が設けられた測定用貯水槽２０ａ内に直接流入することになる。これにより、岩石試料５０から測定位置までの間におけるトレーサー溶液の分散現象を考慮する必要がなくなるため、測定結果の信頼性を高めることができる。
【００４０】
また、岩石試料５０から流出したトレーサー溶液が測定槽２０の測定用貯水槽２０ａに直接流入するため、低流量でトレーサー溶液を岩石試料５０に供給した場合であっても、岩石試料５０から測定位置までの間におけるトレーサー溶液の滞留時間を考慮する必要がなくなる。これにより、岩石試料５０の排水面５２側にトレーサー溶液のフラッシング機構を設けることなく、低流量でトレーサー溶液を岩石試料５０に供給し、岩石試料５０内での拡散現象（マトリクス拡散現象）による遅延効果の影響を考慮した正確な測定結果を得ることができる。
【００４１】
また、測定用貯水槽２０ａ内のトレーサー溶液は、測定用貯水槽２０ａから順次にオーバーフローして排水用貯水槽２０ｂ内に流入し、排水用貯水槽２０ｂから排水配管２９を通じて排水槽２８に流入した後に、外部に排水されることになる。すなわち、測定槽２０の密閉状態を保ちながらトレーサー溶液を順次に排水することができるため、測定槽２０内におけるトレーサー溶液の揮発を防止することができる。これにより、トレーサー溶液の揮発によってトレーサー濃度が変化することがないため、トレーサー濃度の微細な変化も確実に把握することができる。
【００４２】
さらに、本実施形態のトレーサー試験装置１では、イオンメータ４０によってトレーサー濃度の経時変化を測定するとともに、１日に３回程度の頻度で、測定槽２０のサンプリング用開口部２７ａを通じて、測定用貯水槽２０ａ内のトレーサー溶液から約５ｍｌのサンプリング溶液を注射器等によって抽出し、この抽出したサンプリング溶液のトレーサー濃度をＩＣＰ発光分光分析によって測定して、その測定結果を図示しない出力手段によって表示および記録する。
なお、サンプリング溶液を抽出した際には、同量の脱イオン脱気水を測定用貯水槽２０ａに補充するとともに、この希釈による影響を抽出量とその濃度から把握して、測定用貯水槽２０ａ内のトレーサー溶液のトレーサー濃度を補正する。
【００４３】
このサンプリング溶液におけるトレーサー濃度の測定においても、測定槽２０内のトレーサー溶液の分散現象を考慮することなく、測定結果の信頼性を高めることができるとともに、低流量でトレーサー溶液を岩石試料５０に供給し、岩石試料５０内での拡散現象による遅延効果の影響を考慮した正確な測定結果を得ることができる。
【００４４】
このようにして、本実施形態のトレーサー試験装置１を用いて測定したトレーサー濃度の経時変化を理論曲線と比較することで、岩石試料５０の物質移行特性を把握する。
【００４５】
したがって、本発明のトレーサー試験装置１によれば、岩石試料５０の排水面５２から測定位置までの間におけるトレーサー溶液の分散現象を考慮することなく測定することができるとともに、フラッシング機構を設けることなく、低流量でトレーサー溶液を試料に供給して正確な測定結果を得ることができるため、岩石試料５０の物質移行特性を的確に把握することができる。
【００４６】
以上、本発明の実施形態について説明したが、本発明は前記実施形態には限定されるものではない。例えば、本実施形態では、岩石中の物質移行特性を求めたが、本発明のトレーサー試験装置１を用いて各種試料の物質移行特性を把握することができる。
また、トレーサー溶液の構成も限定されるものではなく、試料の組成に対応させて適宜に変更することができる。
さらに、本実施形態では、トレーサー溶液のトレーサー濃度を、イオンメータ４０およびサンプリングによる分析によって測定したが、一方の測定手段のみによってトレーサー濃度を測定してもよい。
【図面の簡単な説明】
【００４７】
【図１】本実施形態のトレーサー試験装置の全体構成を示した概略図である。
【図２】従来のトレーサー試験装置の全体構成を示した概略図である。
【符号の説明】
【００４８】
１      トレーサー試験装置
１０    供給槽
２０    測定槽
２０ａ  測定用貯水槽
２０ｂ  排水用貯水槽
２８    排水槽
３０    試料設置領域
４０    イオンメータ（濃度測定手段）
５０    岩石試料
５１    注水面
５２    排水面
５３    単一亀裂
５４    被覆部材
【図１】
2006064394.tif 000003
【図２】
2006064394.tif 000004